(57)【要約】【課題】レーザ墨出し装置において、複数本から成る脚部が閉じられている閉状態を、より強固に維持する。【解決手段】レーザ墨出し装置１は、ライン状光線を照射する光学本体２と、光学本体２をジンバル機構３１によって揺動自在に懸架し光学本体２を覆う外郭３と、外郭３の底部に取り付けられ外郭３を支持し、かつ、回動することで開閉する複数本の脚部４と、脚部４の閉状態において光学本体２の揺動を固定するロック部５とを備える。複数本の脚部４は、その底面側に、突出部を有する脚部４と、当該突出部に嵌合する窪み部を有する脚部４とを備え、突出部にはその内側面に凹部又は凸部が形成され、窪み部には当該凹部又は凸部と嵌合する凸部又は凹部が形成される。この構成により、複数本から成る脚部４が閉じられている閉状態を、より強固に維持できる。【選択図】図１
2013108867.tif 000002
【特許請求の範囲】
【請求項１】
ライン状光線を照射する光学本体と、前記光学本体をジンバル機構によって揺動自在に懸架し該光学本体を覆う外郭と、前記外郭の底部に取り付けられ該外郭を支持し、かつ、回動することで開閉する複数本の脚部と、前記脚部の閉状態において前記光学本体の揺動を固定するロック手段と、を備えるレーザ墨出し装置において、
前記複数本の脚部は、その底面側に、突出部を有する脚部と、当該突出部に嵌合する窪み部を有する脚部とを備え、前記突出部にはその内側面に凹部又は凸部が形成され、前記窪み部には当該凹部又は凸部と嵌合する凸部又は凹部が形成され、
前記脚部が閉じられたとき、隣り合う前記脚部に形成された前記凹部と前記凸部とが嵌合されて前記脚部の閉状態が維持される一方、前記脚部が開かれたとき、前記凹部と前記凸部との嵌合が外されて前記閉状態が解除される、ことを特徴とするレーザ墨出し装置。
【請求項２】
前記複数本の脚部は、前記突出部の内側面に凹部を有する脚部が２本、及び前記窪み部に当該凹部と嵌合する凸部を有する脚部が１本で構成される、ことを特徴とする請求項１記載のレーザ墨出し装置。
【発明の詳細な説明】
【技術分野】
【０００１】
本発明は、壁面や天井面に線状、もしくは点状のレーザ光を照射して墨出し作業に用いられるレーザ墨出し装置に関する。
【背景技術】
【０００２】
レーザ墨出し装置は、例えば、建築業者が施工現場で、水平レベルや鉛直点などの基準出しのための作業道具として一般的に用いられている。レーザ墨出し装置は、ライン状のレーザ光線を天井などの壁面上に照射して、その指示したポイントやライン上を基準に建具（壁、棚、照明）等が設置される。このため、レーザ墨出し装置は、高い位置精度が必要とされ、内部の光学系部品の組立にも高精密が要求される。
【０００３】
レーザ墨出し装置は精密機械であるため、ユーザは取り扱い時や持ち運び時に落下や転倒等によりレーザ墨出し装置に衝撃を与えないよう注意する必要がある。しかし、レーザ墨出し装置が使用される作業現場は、建設現場などの苛酷な環境であるため、レーザ墨出し装置が落下や転倒などの衝撃を受ける可能性が高く、内部の光学系部品の破損や精度悪化につながりやすい。そのため、作業者はレーザ墨出し装置の取り扱い時や、持ち運び時も衝撃（落下、転倒）を与えないように注意が要求される。また、レーザ墨出し装置の未使用時も光学部品が安全に固定されて、不要な衝撃から守られて光学部品の精度を維持する必要がある。
【０００４】
そのため、例えば、図８に示すように、従来のレーザ墨出し装置８０は、ジンバル機構部８１ａに懸架され、ライン状光線を照射する光源８１ｂを内蔵した光学本体８１と、光学本体８１を支持するロック部８２とを備える。また、これらを覆う外郭部８３と、外郭部８３の底部に付設されて外郭部８３を支持し、かつ回動することで開閉される複数本の脚部８４とを備える。
【０００５】
ロック部８２は、脚部８４が開かれると回動されて、ロック部８２と光学本体８１の底側面に形成された溝部との係合が外れてロックが解除され、光学本体８１は揺動自在となる。一方、図８（ｃ）に示すように、脚部８４が閉じられると、ロック部８２が回動されて光学本体８１に形成された溝部８１ａと係合して、光学本体８１の揺動がロックされて衝撃から光学本体８１を守る。このように、脚部８４の開閉に伴って、光学本体８１がロック部８２によりロックもしくはそのロックが解除されることで光学本体８１の精度を適切に維持できる。
【０００６】
そして、光学精度を保つため、例えば、脚部の閉動作によって光学本体の揺動をロックし、かつ、防塵性を高くしたレーザ墨出し装置が知られている（例えば、特許文献１参照）。また、支持脚を装置本体に対して折り畳んで収納することにより、装置本体のコンパクト化を図ったレーザ墨出し装置が知られている（例えば、特許文献２参照）。
【先行技術文献】
【特許文献】
【０００７】
【特許文献１】特開２０１１−３８８２２号公報
【特許文献２】特開２００８−２６７８２５号公報
【発明の概要】
【発明が解決しようとする課題】
【０００８】
しかしながら、上記従来のレーザ墨出し装置８０では、転倒時や持ち運び時に、図８（ｃ）の矢印に示すように、光学本体８１の自重によってロック部８２が押圧され、脚部８４が開いてしまう場合がある。この場合、ロック部８２による光学本体８１のロックが解除され、ロック部８２が光学本体８１の揺動を防止するという固定効果が十分に得られないという問題がある。
【０００９】
また、転倒時や持ち運び時に脚部８４が勝手に開いてしまうと、光学本体８１が衝撃の影響を直接受け、内部の光学本体８１が破損してしまうという欠点がある。
【００１０】
本発明は、上記課題に鑑みてなされたものであり、複数本から成る脚部が閉じられている閉状態を、より強固に維持できるレーザ墨出し装置を提供することを目的とする。
【課題を解決するための手段】
【００１１】
上記目的を達成するために本発明は、ライン状光線を照射する光学本体と、前記光学本体をジンバル機構によって揺動自在に懸架し該光学本体を覆う外郭と、前記外郭の底部に取り付けられ該外郭を支持し、かつ、回動することで開閉する複数本の脚部と、前記脚部の閉状態において前記光学本体の揺動を固定するロック手段と、を備えるレーザ墨出し装置において、前記複数本の脚部は、その底面側に、突出部を有する脚部と、当該突出部に嵌合する窪み部を有する脚部とを備え、前記突出部にはその内側面に凹部又は凸部が形成され、前記窪み部には当該凹部又は凸部と嵌合する凸部又は凹部が形成され、前記脚部が閉じられたとき、隣り合う前記脚部に形成された前記凹部と前記凸部とが嵌合されて前記脚部の閉状態が維持される一方、前記脚部が開かれたとき、前記凹部と前記凸部との嵌合が外されて前記閉状態が解除されることを特徴とするものである。
【００１２】
このレーザ墨出し装置において、前記複数本の脚部は、前記突出部の内側面に凹部を有する脚部が２本、及び前記窪み部に当該凹部と嵌合する凸部を有する脚部が１本で構成されることが好ましい。
【発明の効果】
【００１３】
本発明に係るレーザ墨出し装置によれば、脚部の底面側の突出部に形成された凹部又は凸部と、隣り合う脚部の底面側の窪み部に形成された凸部又は凹部とが互いに嵌合するため、脚部の閉状態が、より強固に維持される。
【図面の簡単な説明】
【００１４】
【図１】本発明の実施の形態に係るレーザ墨出し装置の斜視図である。
【図２】（ａ）同レーザ墨出し装置の閉脚時の部分断面図、（ｂ）同レーザ墨出し装置の開脚時の部分断面図である。
【図３】（ａ）同レーザ墨出し装置の開脚時の脚部の斜視図、（ｂ）同レーザ墨出し装置の閉脚時の脚部の斜視図である。
【図４】同レーザ墨出し装置に備わる脚部の部分断面図である。
【図５】（ａ）同レーザ墨出し装置に備わる脚部の底部の斜視図、（ｂ）同レーザ墨出し装置に備わる脚部の底部の断面図である。
【図６】（ａ）同レーザ墨出し装置の閉脚時の脚部の部分断面図、（ｂ）同レーザ墨出し装置の開脚時の脚部の部分断面図である。
【図７】同上実施の形態の変形例に係るレーザ墨出し装置の脚部の部分断面図である。
【図８】（ａ）従来のレーザ墨出し装置の斜視図、（ｂ）同レーザ墨出し装置における閉脚時のロック部の斜視図、（ｃ）同レーザ墨出し装置の閉脚時の部分断面図である。
【発明を実施するための形態】
【００１５】
（実施の形態）
本発明の実施の形態に係るレーザ墨出し装置について図面を参照して説明する。レーザ墨出し装置１は、ポイント状ビーム光を照射する円柱形状の光学本体２と、光学本体２をジンバル機構３１によって揺動自在に懸架し光学本体２を覆う外郭３と、外郭３の底部の周囲に回動自在に取り付けられ外郭３を設置面に支持する脚部４とを備えている。また、レーザ墨出し装置１は、光学本体２の揺動を固定するロック部（ロック手段）５を備えている。
【００１６】
光学本体２は、ビーム光Ｌを出射する光源２１と、出射されたビーム光Ｌを点形状に収束するレンズ２２とを有する出力部２３を底部に備えている。ここに示す出力部２３は下ポイント用のビーム光Ｌを照射するものであるが、下ポイント用のビーム光Ｌの他に、垂直や水平なライン状ビーム光や上ポイント用のビーム光を照射する出力部をも備えている（図示せず）。光学本体２はジンバル機構３１によって外郭３に懸架されているので、外郭３が設置された面の傾きが所定の範囲内であれば、光学本体２の位置を基準とした上下ポイント状ビーム光や垂直、水平ライン状ビーム光を照射することができる。
【００１７】
外郭３は、光学本体２を内部に収容する円筒形状で形成され、レーザ光を通過させるための開口窓を有し、３本の脚部４によって支持されている。脚部４は、３本の脚部４１〜４３で構成され、各脚部４１〜４３の上部にはロック部５と当接する突起部４０が設けられている。
【００１８】
ロック部５は、図２に示すように、回動自在なレバー５１と、レバー５１を回動させる回転軸５２とを有する。レバー５１は、外郭３の外部に臨む一端に突起部４０と当接する窪み部５３を有し、外郭３の内部に臨む他端に光学本体２側に曲げられた押圧部５４を有している。脚部４が開閉すると、突起部４０が回動し、突起部４０に当接した窪み部５３も回動する。窪み部５３の回動によって押圧部５４も回動し、光学本体２の側面下部には、この押圧部５４と係合する溝部２４が設けられている。
【００１９】
すなわち、ロック部５は、図２（ｂ）に示すように、脚部４が開かれるとこの動作に伴い回転軸５２を中心に回動されて、ロック部５の押圧部５４と光学本体２の溝部２４との係合が外れて光学本体２のロックが解除される。これにより、光学本体２は揺動自在となる。一方、脚部４が閉じられると、図２（ａ）に示すように、ロック部５が回動されて、ロック部５の押圧部５４と光学本体２の溝部２４とが係合して、光学本体２の揺動がロックされる。なお、ロック部５の形状は一例であって、その他、歯車形状など脚部４の回動に伴って光学本体２をロック又はロック解除する機構を有していればよい。
【００２０】
次に、脚部４の底面側の構成に関して図４及び図５を参照して説明する。脚部４は、３本の脚部４１〜４３によって構成され、ネジなどの回転軸４ａによって回動自在に外郭３の底部に取り付けられる。レーザ墨出し装置１が使用されるときには、図３（ａ）に示すように、３本の脚部４１〜４３が開かれて設置面上に設置され、使用されないときには、図３（ｂ）に示すように、脚部４１〜４３が閉じられて外郭３に連続する棒状をなして一体固定される。
【００２１】
本実施の形態では、脚部４１の底面側の突出部４１ｃの内側面には凹部４１ａ、脚部４２の底面側に突出部の内側面には凹部４２ａが形成される。また、脚部４１，４２と隣接する脚部４３の底面側には突出部４１ｃと嵌合する窪み部４３ｃにおいて、凹部４１ａと嵌合する凸部４３ａ、及び凹部４２ａと嵌合する凸部４３ｂが２箇所で形成される。
【００２２】
脚部４３の窪み部４３ｃに形成される凸部４３ａ，４３ｂは、図４に示すように、設置面側に突出し、その先端部が半円弧形状となっている。一方、図５に示すように、脚部４１は、垂直断面がＬ字形状となるような基部４１ｂ及び突出部４１ｃを備え、この突出部４１ｃの内側面には隣り合う脚部４３の凸部４３ａと嵌合する凹部４１ａが形成されている。脚部４２も脚部４１と同様の形状を有する。
【００２３】
なお、脚部４３に形成される凸部４３ａ，４３ｂは、その先端部を半円弧形状として説明したが、この半円弧形状に限定されるものではなく、円錐台や角錐、先鋭形状などの他の形状であっても同様の効果が得られる。また、凸部４３ａ，４３ｂの材質は、剛体材料としても構わないし、ゴムのような弾性材料としても構わない。
【００２４】
次に、レーザ墨出し装置１の動作について図６を参照して説明する。ここでは、理解を容易にするため脚部４１及び脚部４３を用いて説明する。図６（ａ）に示すように、脚部４が閉じられているときは、脚部４１の凹部４１ａ及び脚部４１に隣り合う脚部４３の凸部４３ａが嵌合されて脚部４の閉状態が維持される。一方、図６（ｂ）に示すように、脚部４が開かれるときには、脚部４３の底面側は、点線Ｍで示すように、凹部４１ａが凸部４３ａの先端部を乗り越えるような軌道で回動して、脚部４の閉状態が解除される。
【００２５】
以上のように、本実施の形態に係るレーザ墨出し装置１においては、脚部４が閉じられることにより脚部４の底面側に設けられた凹部４１ａ及び凸部４３ａ、並びに凹部４２ａ及び凸部４３ｂが互いに嵌合して脚部４の閉状態が、より強固に維持される。このため、転倒時や持ち運び時などに光学本体２の自重によってロック部５が押圧されて脚部４が開くことを確実に防止して、ロック部５が解除された光学本体２が揺動して光学精度が低下したり故障したりすることを確実に防止できる。
【００２６】
また、脚部４は、突出部４１ｃの内側面に凹部４１ａを有する脚部４１、突出部の内側面に凹部４２ａを有する脚部４２、及び窪み部４３ｃに当該凹部４１ａ，４２ａと嵌合する凸部４３ａ，４３ｂを有する脚部４３が１本で構成される。この構成により、脚部４の閉状態を、より強固に保持できる。
【００２７】
（変形例）
本実施の形態の変形例について図７を参照して説明する。本変形例では、図７に示すように、脚部４３が開かれるときには、点線Ｎで示すように、凸部４３ａの先端部が脚部４の回動軸（回転中心）から離れるような軌跡で回動する構造となっている。従って、本変形例では、上記実施の形態の効果に加えて、凸部４３ａの先端が、より一層深く、凹部４１ａに嵌り込むことになり、脚部４３が単独で開くことが確実に防止できる。
【００２８】
なお、本発明は、上記実施の形態の構成に限られず、発明の趣旨を変更しない範囲で種々の変形が可能である。例えば、レーザ墨出し装置１において３本の脚部４１〜４３のうち、１本の脚部の底面側に凹部、残り２本の脚部の底面側に凸部を設けても同様の効果が得られる。また、脚部４の閉状態を維持するために、脚部４に磁石などの引き合う部材を設けることも考え得る。
【符号の説明】
【００２９】
１  レーザ墨出し装置
２  光学本体
３  外郭
３１  ジンバル機構
４  脚部
４１，４２，４３  脚部
４１ａ，４２ａ  凹部
４３ａ，４３ｂ  凸部
４１ｃ  突出部
４３ｃ  窪み部
５  ロック部（ロック手段）
５１  レバー
５２  回転軸
５３  窪み部
５４  押圧部
【図１】
2013108867.tif 000003
【図２】
2013108867.tif 000004
【図３】
2013108867.tif 000005
【図４】
2013108867.tif 000006
【図５】
2013108867.tif 000007
【図６】
2013108867.tif 000008
【図７】
2013108867.tif 000009
【図８】
2013108867.tif 000010